(57)【要約】 【課題】  高照度型と低照度型との切り換えを簡便に行える上にどの状態にあるかを容易に判別できるものとする。【解決手段】  定格出力電流が異なる複数組の出力端子２３，２４を備えたＬＥＤ電源供給部２と、いずれかの組の出力端子に接続される接続端子３７を備えたＬＥＤユニット３とを有し、更に上記ＬＥＤユニットにおける上記接続端子の位置をいずれかの組の出力端子に適合する位置に切り換える切換板３５を有している。切換板３５はその切換用の操作部３６がＬＥＤユニット外面に露出する位置に設けられている。【選択図】  図１
2011175795.tif 000002
【特許請求の範囲】
【請求項１】
定格出力が異なる複数組の出力端子を備えたＬＥＤ電源供給部と、いずれかの組の出力端子に接続される接続端子を備えたＬＥＤユニットとを有しているとともに、上記ＬＥＤユニットにおける上記接続端子の位置をいずれかの組の出力端子に適合する位置に切り換える切換板を有しており、上記切換板はその切換用の操作部がＬＥＤユニット外面に露出する位置に設けられていることを特徴とするＬＥＤ照明装置。
【発明の詳細な説明】
【技術分野】
【０００１】
本発明は、ＬＥＤ（発光ダイオード）素子を複数含むＬＥＤユニットと、このＬＥＤユニットに電力を供給するＬＥＤ電源供給部を備えたＬＥＤ照明装置に関するものである。
【背景技術】
【０００２】
ＬＥＤの高輝度化に伴い、一般照明用のＬＥＤ照明装置が商品化されている。このＬＥＤ照明装置は、ＬＥＤの半永久寿命という特徴から、ＬＥＤを交換することなく、照明器具として４年〜１０年の寿命がある。また、チップを樹脂で覆っているＬＥＤでは、樹脂が自己の光と温度によって劣化し、変色などを起こして光出力を低下させる。このために光出力の低下によって必要とする光出力が得られなくなる時点をＬＥＤの寿命の終期としている。
【０００３】
一方、ＬＥＤそのものの発光効率は年々高くなっていることから、何年か後に寿命がきたとしてＬＥＤユニットを交換する場合、元のＬＥＤユニットよりも発光効率が高いＬＥＤユニットを用いることになる場合が考えられる。
【０００４】
この時、ＬＥＤユニットとＬＥＤ電源供給部とを別体として、ＬＥＤユニットのみを交換することができるようにしている場合、高効率化されたＬＥＤユニットに交換すると、明るくなりすぎることが生じる。
【０００５】
ここにおいて、特許文献１にはＬＥＤユニットとＬＥＤ電源供給部とを別体とするとともに、ＬＥＤ電源供給部には出力電圧の異なる複数対の接続部を設け、ＬＥＤユニットをどちらの接続部に接続するかによって、一つのＬＥＤユニットを高照度型として使用するか、低照度型とするかを選択することができるようにしたものが示されている。この場合、それまで出力電圧の高い接続部に接続されていたＬＥＤユニットに代えて高効率化されたＬＥＤユニットを出力電圧の低い接続部に接続すれば、それまでと同等の光出力で且つ省電力を得ることができ、出力電圧の高い接続部に接続すれば、それまでよりも高照度の光出力を同等電力で得ることができる。
【先行技術文献】
【特許文献】
【０００６】
【特許文献１】特開２００２−３０４９０４号公報
【発明の概要】
【発明が解決しようとする課題】
【０００７】
しかし、上記特許文献１に示されているのは、ＬＥＤ電源供給部の複数の接続部を角度が異なるものとして設けておき、ＬＥＤユニットを角度を変えて取り付けることで高照度型か低照度型かに切り換えるものであるために、ＬＥＤユニットをＬＥＤ電源供給部に取り付けた状態では高照度型としているのか低照度型としているのかが判りにくい。しかもＬＥＤユニットをＬＥＤ電源供給部から外すと、それまで高照度型として接続していたのか低照度型として接続していたのかが判らなくなる。
【０００８】
上記特許文献１には、ＬＥＤ電源供給部に出力電圧の切換をスイッチにて行うものや、ＬＥＤユニット側に各ＬＥＤに流れる電流値を変化させるスイッチを設けることも示されている。この場合、高照度型とするか低照度型とするかを切り換えることができる上に、ＬＥＤ電源供給部からＬＥＤユニットを外した状態でもスイッチの状態から高照度型と低照度型のどちらの設定で用いているのかを判別することができる。
【０００９】
しかし、数年にわたり使用されることが想定されるＬＥＤ照明装置において、普段は全く操作されることがない上記スイッチは、その切換動作によるセルフクリーニングを期待できないために、スイッチ部分の信頼性の点で問題がある。
【００１０】
本発明はこのような点に鑑みなされたものであって、高照度型と低照度型との切り換えを簡便に行える上にどの状態にあるかを容易に判別することができるＬＥＤ照明装置を提供することを課題とするものである。
【課題を解決するための手段】
【００１１】
本発明は、定格出力が異なる複数組の出力端子を備えたＬＥＤ電源供給部と、いずれかの組の出力端子に接続される接続端子を備えたＬＥＤユニットとを有しているとともに、上記ＬＥＤユニットにおける上記接続端子の位置をいずれかの組の出力端子に適合する位置に切り換える切換板を有しており、上記切換板はその切換用の操作部がＬＥＤユニット外面に露出する位置に設けられていることに特徴を有している。
【００１２】
外部に露出している操作部の操作で接続端子をどの組の出力端子に接続するかを切換板により切り換えることで高照度型と低照度型の切り換えを行うことができる。
【発明の効果】
【００１３】
本発明においては、高照度型と低照度型との切り換えを切換板の操作によって簡便に行えるものであり、しかもどの状態にあるかは切換板における外部に露出した操作部の位置から容易に判別することができる。また接続端子そのものを移動させることで上記切り換えを行うために、信頼性の点で問題が生じることもない。
【図面の簡単な説明】
【００１４】
【図１】本発明の実施の形態の一例を示すもので、(a)は概略断面図、(b)はＬＥＤユニットの水平断面図である。
【図２】同上の回路図である。
【発明を実施するための形態】
【００１５】
本発明を実施の形態の一例に基づいて詳述すると、図において、天井面９にローゼット（引っ掛けシーリング）９０あるいはねじ止めで固定される装置本体１は、ＬＥＤ電源供給部２と、このＬＥＤ電源供給部２に対して着脱自在とされているＬＥＤユニット３を備えている。
【００１６】
上記ＬＥＤ電源供給部２は商用電源（交流電源）からの交流電圧を、降圧を含めて整流および平滑などして所定レベルの直流の低電圧を得るもので、複数（ここでは２つ）の定電流出力部２１，２２を備えている。また定電流出力部２１がαｍＡの定格出力であるのに対して、定電流出力部２２はβｍＡ（β＞α）の定格出力を有している。さらに定電流出力部２１には一対の出力端子２３，２３が接続され、定電流出力部２２には一対の出力端子２４，２４が接続されている。
【００１７】
上記２対の出力端子２３，２３，２４，２４は、ＬＥＤ電源供給部２下面であるＬＥＤユニット取付面に一直線状に並べられて配置されているとともに、出力端子２３，２３の対のピッチＰ１が、出力端子２４，２４のピッチＰ２よりも大きくされている。
【００１８】
一方、ＬＥＤユニット３は、多数のＬＥＤ３１が実装された基板３０と、外装カバーを兼ねたレンズユニット３２と、ベース板３３と、切換板３５とからなり、上記基板３０及びレンズユニット３２が取り付けられたベース板３３には、一対の接続端子３７，３７がガイド孔３４に沿ってスライド自在に設けられているとともに、切換板３５が軸回りに回転自在に取り付けられている。
【００１９】
上記基板３０上には、図２に示すように、３個のＬＥＤ３１とトランジスタＴｒおよび抵抗Ｒを直列に接続した組みを４組並列に接続して構成された発光部３ｂと、コンデンサＣ１、トランジスタＴｒ１および抵抗Ｒ１〜Ｒ３により構成されて上記発光部３ｂの各組のトランジスタＴｒにミラー接続されて発光部３ｂの各組のＬＥＤ３１に同一の定電流を流す電源部３ａとが形成されている（ミラー回路構成）。
【００２０】
前記切換板３５は、その外周縁に備える一対の操作部３６，３６をＬＥＤユニット３の外面を構成するベース板３３外周面よりも外部に突出させたもので、一対のスパイラル状の溝３８，３８を有しているとともに、各溝３８内に上記スライド自在な接続端子３７を位置させており、上記操作部３６，３６を摘んで切換板３５を回転させたならば、対の接続端子３７，３７は相反する方向に移動して間隔を変化させる。なお、接続端子３７，３７と基板３０間は、リード線で接続しているが、この接続方法に限定されるものではない。
【００２１】
そして、上記ＬＥＤユニット３をＬＥＤ電源供給部２に取り付けるにあたっては、まず切換板３５を操作することで、高照度型として接続するのか、あるいは低照度型として接続するのかを決定する。ここでは、定電流出力部２１に接続された一対の出力端子２３，２３のピッチＰ１が大きく、定電流出力部２２に接続された一対の出力端子２４，２４のピッチＰ２が小さいために、高照度型として接続する場合は接続端子３７，３７の間隔を小さく、低照度型として接続する場合は接続端子３７，３７の間隔を広くする。
【００２２】
そしてＬＥＤユニット３の上面より突出している接続端子３７，３７の先端を出力端子２３，２３もしくは出力端子２４，２４に接続するとともに、ＬＥＤユニット３のベース板３３に設けたフック（図示せず）をＬＥＤ電源供給部２に係合させることで、ＬＥＤユニット３をＬＥＤ電源供給部２に接続する。
【００２３】
上記接続端子３７を定格出力αｍＡの出力端子２３に接続している時は、ＬＥＤユニット３を省電力な低照度型として使用することができるものであり、接続端子３７を定格出力βｍＡ（β＞α）の出力端子２３に接続している時は高照度型として使用することができる。しかも、切換板３５の操作部３６がどの位置にあるかが外観からわかるために、いずれの状態で使用しているかを容易に認識することができる。
【００２４】
ここでは定格出力が異なる２対（２組）の出力端子を備えたものを示したが、３対（３組）以上の出力端子を備えたものであってもよいのはもちろんである。また、各組の出力端子は、グランド側を共用するものであってもよい。出力端子２３，２４に異なる電圧が出力されるようになっていてもよい。
【００２５】
更には切換板３５による接続端子３７の移動に確動カムとして機能する溝３８を用いた例を示したが、このような構造に限定されるものではない。
【符号の説明】
【００２６】
１  装置本体
２  ＬＥＤ電源供給部
３  ＬＥＤユニット
２３  出力端子
２４  出力端子
３５  切換板
３６  操作部
３７  接続端子
【図１】
2011175795.tif 000003
【図２】
2011175795.tif 000004